(57)【要約】      （修正有）【課題】安定な電気的接続を行い、断電発生を防止する拡大鏡の照明装置を提供する。【解決手段】拡大鏡の照明装置２０は、照明機能を有するもので、その本体２１の前端に、第１接点及び第２接点を有する発光組立体２２が設けられ、その内部に、第１電極２３１及び第２電極２３２を有する電池パック２３が装着されると共に、電池パック２３の第１電極２３１を発光組立体２２の第１接点に電気的に接続させ、本体２１の後端に、発光組立体２２の第２接点に電気的に接続される導電スリーブ２４が嵌設されると共に、導電スリーブ２４に、本体２１の後端に突出する凸環２４１が設けられ、また本体２１の後端に後蓋２６が設けられると共に、後蓋２６内に導電盤２７が設けられ、導電盤２７上に電池パック２３の第２電極２３２に当接するための第１導電部２７１が設けられると共に、第１導電部２７１の周側に、導電スリーブ２４の凸環２４１に当接するための第２導電部２７２が環設される。【選択図】図６
0003203317.tif 000002
【実用新案登録請求の範囲】
【請求項１】
本体と、発光組立体と、前記本体内に設けられる電池パックと、導電スリーブと、前記本体の後端に設けられる後蓋と、前記後蓋内に設けられる導電盤とを備える拡大鏡の照明装置であって、
前記発光組立体は、前記本体の前端に少なくとも１つの発光素子が設けられ、当該発光素子は、電気的に接続するための第１接点と、第２接点とを有し、
前記電池パックは、第１電極と、第２電極とを有すると共に、前記第１電極を前記発光組立体の第１接点に電気的に接続させ、
前記導電スリーブは、前記本体の後端内部に嵌設され、前記導電スリーブを前記発光組立体の第２接点に電気的に接続させると共に、前記本体の後端に突出する凸環が設けられ、
前記導電盤は、前記電池パックの第２電極に当接するための第１導電部が設けられると共に、前記第１導電部の周側に、前記導電スリーブの凸環に当接するための第２導電部が環設されることを特徴とする、拡大鏡の照明装置。
【請求項２】
前記本体は、中空状を呈すると共に、前端に横向に延伸する第１収容部が設けられ、その内部に垂直向に延伸する第２収容部が設けられることを特徴とする、請求項１に記載の拡大鏡の照明装置。
【請求項３】
前記本体の後端の外環面に、外ネジ山段部が設けられ、前記後蓋の内環面に、前記本体の前記外ネジ山段部に係合するための内ネジ山段部が設けられることを特徴とする、請求項１に記載の拡大鏡の照明装置。
【請求項４】
前記本体の前記内ネジ山段部の内端箇所に、前記導電盤を収容して位置制限するための環状溝が設けられることを特徴とする、請求項３に記載の拡大鏡の照明装置。
【請求項５】
前記導電盤の側縁箇所に、前記後蓋の前記内ネジ山段部に対応旋入する案内部が設けられると共に、前記導電盤の前記第１導電部の側方箇所に、前記導電盤を回転させるように引動するための複数個の旋動部が開設され、前記導電盤の前記案内部を前記後蓋の前記内ネジ山段部に沿って前記環状溝内に旋入させることを特徴とする、請求項４に記載の拡大鏡の照明装置。
【請求項６】
前記発光組立体は、前記本体の前端内に台座が設けられ、前記台座の中央箇所に通孔が開設されると共に、前記通孔の周側箇所に複数個の発光素子が環状に配置されることを特徴とする、請求項１に記載の拡大鏡の照明装置。
【請求項７】
前記発光組立体の当該発光素子がＬＥＤであることを特徴とする、請求項１に記載の拡大鏡の照明装置。
【請求項８】
前記電池パックの前記第１電極、前記導電スリーブと、前記発光組立体の当該発光素子の前記第１接点、前記第２接点との間に、切替えボタンを有するオンオフスイッチが電気的に接続され、前記電池パックの前記第１電極は、前記オンオフスイッチを経由して前記発光組立体の当該発光素子の前記第１接点に電気的に接続され、前記オンオフスイッチに、前記導電スリーブに電気的に接続されるための導電片が設けられることを特徴とする、請求項１に記載の拡大鏡の照明装置。
【請求項９】
前記導電盤の前記第１導電部は、凸溝状を呈し、前記第２導電部は、凸塊状を呈することを特徴とする、請求項１に記載の拡大鏡の照明装置。
【請求項１０】
前記本体の前端に凸レンズ群が設けられ、前記凸レンズ群に複数個の凸レンズが設けられ、前記各レンズの間に間隔環が設けられると共に、係合具により前記本体の前端に係止して位置制限されることを特徴とする、請求項１に記載の拡大鏡の照明装置。
【考案の詳細な説明】
【技術分野】
【０００１】
本考案は、導電スリーブの凸環と導電盤の第２導電部を利用して多点接触方式により安定な電気的接続を行い、断電発生の状況を防止して電気導通の確保が達成される、拡大鏡の照明装置に関するものである。
【背景技術】
【０００２】
図１、図２に示す従来の照明装置１０を参照する。これらの図に示すように、前記照明装置１０は、本体１１の前端に発光組立体１２が設けられ、その内部に、第１電極１３１及び第２電極１３２を有する電池１３が装着され、前記電池１３の第１電極１３１は、オンオフスイッチ１４を介して前記発光組立体１２の第１接点に電気的に接続される。本体１１内に導電片１５が設けられ、前記導電片１５の前端は、オンオフスイッチ１４を介して発光組立体１２の第２接点に電気的に接続され、その後端に、本体１１の後端に咬合する湾曲部１５１が設けられる。また、本体１１の後端に後蓋１６が係合されると共に、前記後蓋１６内に導電ばね１７が装着固定され、前記後蓋１６を係合する時、導電ばね１７を電池１３の第２電極１３２に当接させると共に、導電片１５の湾曲部１５１を導電ばね１７に接触させると、電気導通回路が形成されるようになり、前記オンオフスイッチ１４を起動させると、発光組立体１２を光線を発光させて照明することができる。
【０００３】
ただ、前記照明装置１０は、使用上において、なお以下のような弊害が存在している。
【０００４】
１．前記照明装置１０は、前記導電片１５の湾曲部１５１と前記導電ばね１７のみを利用して単点接触を行い、かつ前記導電片１５が薄片状であり、全体強度上では明らかに不足しているため、前記導電片１５の湾曲部１５１に錆び付きが生じる場合、または後蓋１６を多回繰り返して本体１１の後端に係合する場合では、前記導電片１５の湾曲部１５１に磨耗または変形を極めて引き起こしやすくなり、時間のたつうちに、導電片１５の湾曲部１５１を必ずしも確実に前記導電ばね１７に接触させるとは限らず、断電の状況が生じてしまい、発光組立体１２を安定かつ確実に導電させて発光させることができない。
【０００５】
２．後蓋１６内に導電ばね１７が装着される時、一般的には導電ばね１７を後蓋１６内に直接に押し込んで、後蓋１６の内環面と導電ばね１７との間の摩擦力を利用して導電ばね１７を後蓋１６内に固定させる。しかしながら、摩擦力による固定方式を利用しても、導電ばね１７を確実に後蓋１６内に結合して位置制限することができず、導電ばね１７の脱落状況が発生しやすくなり、使用上の困惑を招くことになる。
【考案の概要】
【考案が解決しようとする課題】
【０００６】
上記した従来の照明装置の欠点を改善するために、本考案者は、長年に亘って関連産業に従事する研究開発と製作経験を生かして、現在、直面している問題について、掘り下げた研究を行い、長期間に亘って鋭意研究と試作を重ねた結果、遂に断電発生の状況を防止することができると共に、電気導通の安定確保が可能となる照明装置が案出された。これにより、従来の弊害が改善され、これが本考案の設計趣旨でもある。
【課題を解決するための手段】
【０００７】
本考案の第一目的は、本体の前端に、第１接点及び第２接点を有する発光組立体が設けられ、その内部に、第１電極及び第２電極を有する電池パックが装着されると共に、前記電池パックの第１電極を前記発光組立体の第１接点に電気的に接続させ、前記本体の後端に、前記発光組立体の第２接点に電気的に接続される導電スリーブが嵌設されると共に、前記導電スリーブに、前記本体の後端に突出する凸環が設けられ、また前記本体の後端に後蓋が設けられると共に、前記後蓋内に導電盤が設けられ、前記導電盤上に前記電池パックの第２電極に当接するための第１導電部が設けられると共に、前記第１導電部の周側に、前記導電スリーブの凸環に当接するための第２導電部が環設される、拡大鏡の照明装置を提供することにある。これにより、導電スリーブの凸環と導電盤の第２導電部を利用して多点接触方式により安定な電気的接続を行い、断電発生の状況を防止して電気導通の確保という実用的効果・利益が達成される。
【０００８】
本考案の第二目的は、前記本体の後端に、前記発光組立体の第２接点に電気的に接続される導電スリーブが設けられると共に、前記導電スリーブに、前記本体の後端に突出する凸環が設けられる、拡大鏡の照明装置を提供することにある。これにより、導電スリーブの全体強度を大幅に増加することができると共に、導電スリーブの変形損壊を回避することができ、断電発生の状況を防止して使用寿命の向上という実用的効果・利益が達成される。
【０００９】
本考案の第三目的は、前記後蓋内に内ネジ山段部が設けられると共に、前記内ネジ山段部の内端箇所に、内径寸法のより大きい環状溝が設けられ、また前記導電盤の側縁箇所に、後蓋の内ネジ山段部に対応旋入する案内部が設けられる、拡大鏡の照明装置を提供することにある。即ち、導電盤を後蓋の内ネジ山段部に旋入することにより、導電盤を後蓋の環状溝に位置制限して導電盤脱落の防止という実用的効果・利益が達成される。
【図面の簡単な説明】
【００１０】
【図１】従来の照明装置の分解模式図である。
【図２】従来の照明装置の組合せ断面図である。
【図３】本考案の分解模式図である。
【図４】本考案の導電盤を後蓋内に旋入する状態を示す模式図である。
【図５】本考案の組合せ外観模式図である。
【図６】本考案の組合せ断面図である。
【図７】図６のＡ部分の拡大図である。
【図８】本考案の使用模式図である。
【考案を実施するための形態】
【００１１】
本考案をより明瞭に理解できるように、好適な実施例を挙げ、添付図面を参照しながら以下詳細に説明する。
【００１２】
図３〜図７を参照する。これらの図に示すように、本考案に係る拡大鏡の照明装置２０は、本体２１と、発光組立体２２と、電池パック２３と、導電スリーブ２４と、オンオフスイッチ２５と、後蓋２６と、導電盤２７と、凸レンズ群２８とを備える。
【００１３】
前記本体２１は、中空状を呈し、その前端に横向に延伸する第１収容部２１１が設けられ、またその内部に垂直向に延伸する第２収容部２１２が設けられると共に、その後端の外環面に外ネジ山段部２１３が設けられる。
【００１４】
また、前記本体２１の前端に発光組立体２２が装着され、前記発光組立体２２は、本体２１の第１収容部２１１内に台座２２１が設けられ、前記台座２２１の中央箇所に通孔２２１１が開設されると共に、前記通孔２２１１の周側箇所に、ＬＥＤであってもよい複数個の発光素子２２２が環状に配置され、前記各発光素子２２２は、直列または並列方式を採用して相互に電気的に接続されてもよく、並びに電気的に接続するための第１接点及び第２接点（未図示）を有する。
【００１５】
本体２１の第２収容部２１２内に、第１電極２３１及び第２電極２３２を有する電池パック２３が装着される。また、本体２１の第２収容部２１２の後端箇所に導電スリーブ２４が嵌設されると共に、前記導電スリーブ２４に、本体２１の後端に突出する凸環２４１が設けられる。
【００１６】
また、電池パック２３の第１電極２３１、導電スリーブ２４と、発光組立体２２の各発光素子２２２の第１接点、第２接点との間に、切替えボタン２５１を有するオンオフスイッチ２５が電気的に接続され、その中、前記電池パック２３の第１電極２３１は、オンオフスイッチ２５を経由して発光組立体２２の各発光素子２２２の第１接点に電気的に接続され、前記オンオフスイッチ２５に、導電スリーブ２４に電気的に接続されるための導電片２５２が設けられる。これにより、前記導電スリーブ２４をオンオフスイッチ２５を経由して前記発光組立体２２の各発光素子２２２の第２接点に電気的に接続させることで、前記オンオフスイッチ２５を利用して前記発光組立体２２の各発光素子２２２をオン・オフするように制御することができる。オンオフスイッチ２５を利用してオン・オフするように制御する方式は周知の技術であるため、ここでの説明は省略する。
【００１７】
本体２１の後端に後蓋２６が装着され、前記後蓋２６の内環面に、前記本体２１の外ネジ山段部２１３に係合するための内ネジ山段部２６１が設けられると共に、前記内ネジ山段部２６１の内端箇所に、導電盤２７を収容して位置制限するための内径寸法のより大きい環状溝２６２が設けられ、導電盤２７の中央箇所に、前記電池パック２３の第２電極２３２に当接するための凸溝状を呈する第１導電部２７１をプレス方式で直接に成形する。前記第１導電部２７１の周側に環設される前記導電スリーブ２４の凸環２４１に当接するための凸塊状を呈する複数個の第２導電部２７２をプレス方式で直接に成形する。
【００１８】
本実施例において、前記導電盤２７の側縁箇所に、後蓋２６の内ネジ山段部２６１に対応旋入する案内部２７３が設けられると共に、前記第１導電部２７１の側方箇所に、穿孔であってもよい複数個の旋動部２７４が開設されるので、工具により導電盤２７を回転させるように引動することができ、導電盤２７の案内部２７３を後蓋２６の内ネジ山段部２６１に沿って環状溝２６２内に旋入させ、導電盤２７は、内ネジ山段部２６１で位置制限されて（図４参照）、本体２１の外ネジ山段部２１３が後蓋２６に係止される時、即ち、導電盤２７の第１導電部２７１を電池パック２３の第２電極２３２に当接させることができ、前記導電盤２７の第２導電部２７２を導電スリーブ２４の凸環２４１に当接させることができる。これにより、導電スリーブ２４の凸環２４１と導電盤２７の第２導電部２７２は、多点接触方式により安定な圧接接触を行うので、オンオフスイッチ２５をオンにすると、電気導通回路が形成されるようになり、前記発光組立体２２の各発光素子２２２を光線を発光させることができる。
【００１９】
また、使用者が前記拡大鏡の照明装置２０を使用して物品を閲読または検視を便利に行うために、それは本体２１の第１収容部２１１内に凸レンズ群２８が設けられ、前記凸レンズ群２８に複数枚の凸レンズ２８１が設けられ、前記各凸レンズ２８１の間に間隔環２８２が設けられると共に、係合具２８３により前記本体２１の第１収容部２１１内に係止して位置制限される。前記凸レンズ群２８の２枚の凸レンズ２８１を利用して拡大効果を提供することができ、物品の閲読または検視を容易に行うことができる。
【００２０】
図７、図８を参照する。これらの図に示すように、本考案に係る拡大鏡の照明装置２０は、使用時、オンオフスイッチ２５の切替えボタン２５１を前向きに押動することにより、発光組立体２２と、電池パック２３と、導電スリーブ２４と、オンオフスイッチ２５と、導電盤２７とから電気導通回路を形成し、前記電池パック２３の電力駆動により、前記発光組立体２２の各発光素子２２２を光線を発光させて照明すれば、使用者が前記凸レンズ群２８及び発光組立体２２の台座２２１の通孔２２１１を介して物品の閲読または検視を行うことができる。
【００２１】
これにより、本考案に係る拡大鏡の照明装置２０は、導電スリーブ２４の凸環２４１と導電盤２７の第２導電部２７２を利用して多点接触方式により安定な圧接接触を行うので、断電発生の状況を防止することができるのみならず、さらに導電スリーブ２４の変形損壊を回避することができ、電気安定導通の安定確保及び使用寿命の向上という実用的効果・利益が達成される。
【産業上の利用可能性】
【００２２】
以上の説明をまとめると、本考案は、確実に実用性及び進歩性を備える設計であり、かつこれに同じまたは類似する製品及び刊行物に開示されておらず、考案の出願要件に合致しているため、法に基づき出願する次第である。
【符号の説明】
【００２３】
従来技術部分：
１０        照明装置
１１        本体
１２        発光組立体
１３        電池
１３１      第１電極
１３２      第２電極
１４        オンオフスイッチ
１５        導電片
１５１      湾曲部
１６        後蓋
１７        導電ばね
本考案部分：
２０        拡大鏡の照明装置
２１        本体
２１１      第１収容部
２１２      第２収容部
２１３      外ネジ山段部
２２        発光組立体
２２１      台座
２２１１    通孔
２２２      発光素子
２３        電池パック
２３１      第１電極
２３２      第２電極
２４        導電スリーブ
２４１      凸環
２５        オンオフスイッチ
２５１      切替えボタン
２５２      導電片
２６        後蓋
２６１      内ネジ山段部
２６２      環状溝
２７        導電盤
２７１      第１導電部
２７２      第２導電部
２７３      案内部
２７４      旋動部
２８        凸レンズ群
２８１      凸レンズ
２８２      間隔環
２８３      係合具
【図１】
0003203317.tif 000003
【図２】
0003203317.tif 000004
【図３】
0003203317.tif 000005
【図４】
0003203317.tif 000006
【図５】
0003203317.tif 000007
【図６】
0003203317.tif 000008
【図７】
0003203317.tif 000009
【図８】
0003203317.tif 000010